【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
道路情報を共有する道路情報共有システムにおける道路情報共有方法であって、
端末装置又は前記端末装置を伴って移動する車両から取得したセンサ情報を記憶し、
道路情報を検出するための検出ルールに基づいて、前記センサ情報から前記道路情報を検出し、
検出した前記道路情報をユーザに通知して、前記道路情報の登録可否の判断をユーザに促し、
検出した前記道路情報が登録可とユーザに判断された場合、検出した前記道路情報を記憶又は外部へ出力することを特徴とする道路情報共有方法。
【請求項２】
前記端末装置を伴って移動する車両の運転状態を推定するための推定ルールに基づいて、前記センサ情報から前記車両の運転状態を推定し、
前記運転状態に基づいて、検出された前記道路情報の登録可否の判断をユーザに促して良い状態か否かを判定することを特徴とする請求項１に記載の道路情報共有方法。
【請求項３】
前記運転状態が、前記登録可否の判断を促して良い状態である場合は、前記登録可否の判断をユーザに促し、
前記登録可否の判断を促して良い状態でない場合は、前記運転状態が前記登録可否の判断を促して良い状態になるのを待って、前記登録可否の判断をユーザに促すことを特徴とする請求項２に記載の道路情報共有方法。
【請求項４】
前記道路情報が検出されると、検出された前記道路情報をユーザに通知するとともに、
前記登録可否の判断を促して良い状態であると判定された場合は、前記登録可否の判断をユーザに促し、
前記登録可否の判断を促して良い状態でないと判定された場合は、後に前記登録可否の判断を促す旨を通知することを特徴とする請求項２又は３に記載の道路情報共有方法。
【請求項５】
前記登録可否の判断を促すべきか否かは、地図情報と、記憶された前記センサ情報と、に基づいて、判定されることを特徴とする請求項２〜４のいずれか１つに記載の道路情報共有方法。
【請求項６】
前記道路情報共有方法は、
ユーザに対する通知を複数回実行するものであって、
第１の通知は、前記道路情報の検出を音により通知するものであり、
第２の通知は、前記道路情報に関する前記登録可否の判断を促す情報を、ポップアップ又は画像情報により通知することを特徴とする請求項３〜５のいずれか１つに記載の道路情報共有方法。
【請求項７】
前記運転状態が前記登録可否の判断を促して良い状態から促すべきでない状態に変化した場合、ユーザに対して登録可否の判断を促すために表示していた画面を表示しないように制御することを特徴とする請求項２〜６のいずれか１つに記載の道路情報共有方法。
【請求項８】
複数の前記道路情報を検出した場合、
検出した前記道路情報を、検出時刻又は検出場所と現在値との距離に基づいて付与された優先度に応じて、ユーザに通知することを特徴とする請求項１〜７のいずれか１つに記載の道路情報共有方法。
【請求項９】
端末装置を介して道路情報をセンタサーバで共有する道路情報共有システムであって、
前記端末装置は、
前記端末装置又は前記端末装置を伴って移動する車両から取得したセンサ情報を記憶するセンサ情報記憶部と、
道路情報を検出するための検出ルールを管理する道路情報検出ルール管理部と、
前記検出ルールに基づいて、前記センサ情報から前記道路情報を検出する道路情報検出部と、
検出した前記道路情報をユーザに通知して、前記道路情報の登録可否の判断を促すユーザ通知部と、
検出した前記道路情報が、前記ユーザ通知部により登録可と判断された場合、検出した前記道路情報を前記センタサーバに送信する道路情報送信部と、を備え、
前記センタサーバは、
前記端末装置から受信した前記道路情報を記憶する道路情報記憶部と、
を備えることを特徴とする道路情報共有システム。
【請求項１０】
前記端末装置は、
端末装置を伴って移動する車両の運転状態を推定するための推定ルールを管理する運転状態推定ルール管理部と、
前記推定ルールに基づいて、前記センサ情報から前記運転状態を推定する運転状態推定部と、を備え
前記ユーザ通知部は、
前記運転状態に基づいて、検出された前記道路情報の登録可否の判断をユーザに促して良い状態か否かを判定することを特徴とする請求項９に記載の道路情報共有システム。
【請求項１１】
前記ユーザ通知部は、
前記運転状態が、前記登録可否の判断を促して良い状態である場合は、前記登録可否の判断をユーザに促し、
前記登録可否の判断を促して良い状態でない場合は、前記運転状態が前記登録可否の判断を促して良い状態になるのを待って、前記登録可否の判断をユーザに促すことを特徴とする請求項１０に記載の道路情報共有システム。
【請求項１２】
前記ユーザ通知部は、
前記道路情報検出部により道路情報が検出されると、前記検出された道路情報をユーザに通知するとともに、
前記運転状態推定部により、
前記登録可否の判断を促して良い状態であると判定された場合は、前記登録可否の判断をユーザに促し、
前記登録可否の判断を促して良い状態でないと判定された場合は、後に前記登録可否の判断を促す旨を通知することを特徴とする請求項１０又は１１に記載の道路情報共有システム。
【請求項１３】
道路情報を共有する道路情報共有装置であって、
端末装置又は前記端末装置を伴って移動する車両から取得したセンサ情報を記憶するセンサ情報記憶部と、
道路情報を検出するための検出ルールを管理する道路情報検出ルール管理部と、
前記検出ルールに基づいて、前記センサ情報から前記道路情報を検出する道路情報検出部と、
検出した前記道路情報の登録可否の判断を促すために、前記道路情報を前記端末装置を介してユーザに通知するユーザ通知部と、
ユーザに通知した結果、前記道路情報が登録可と判断された場合、前記道路情報を記憶する道路情報記憶部と、
を備えることを特徴とする道路情報共有装置。
【請求項１４】
前記道路情報共有装置は、
端末装置を伴って移動する車両の運転状態を推定するための推定ルールを管理する運転状態推定ルール管理部と、
前記推定ルールに基づいて、前記センサ情報から前記運転状態を推定する運転状態推定部と、を備え、
前記ユーザ通知部は、
前記運転状態に基づいて、検出された前記道路情報の登録可否の判断をユーザに促して良い状態か否かを判定することを特徴とする請求項１３に記載の道路情報共有装置。
【請求項１５】
前記ユーザ通知部は、
前記運転状態が、前記登録可否の判断を促して良い状態である場合は、前記登録可否の判断をユーザに促す通知をし、
前記登録可否の判断を促して良い状態でない場合は、前記運転状態が前記登録可否の判断を促して良い状態になるのを待って、前記登録可否の判断をユーザに促す通知をすることを特徴とする請求項１４に記載の道路情報共有装置。
【請求項１６】
道路情報を共有するための道路情報共有プログラムであって、
端末装置又は前記端末装置を伴って移動する車両から取得したセンサ情報を記憶し、
道路情報を検出するための検出ルールに基づいて、前記センサ情報から前記道路情報を検出し、
検出した前記道路情報をユーザに通知して、前記道路情報の登録可否の判断をユーザに促し、
検出した前記道路情報が登録可とユーザに判断された場合、検出した前記道路情報を記憶する又は外部へ出力することをコンピュータに実行させることを特徴とする道路情報共有プログラム。